(57)【要約】【課題】未登録の外部記憶装置の接続に対応して、ユーザに対して各種危険性を通知することが可能な情報記録装置及び情報出力方法を提供すること。【解決手段】情報記録装置は、外部記憶装置と接続する接続手段と、前記外部記憶装置を所定フォーマットで初期化する初期化手段と、前記外部記憶装置を登録する登録手段と、前記外部記憶装置に対して情報を記録する記録手段と、前記外部記憶装置の登録を解除する解除手段と、未登録で且つ前記所定フォーマットで初期化された登録対象の外部記憶装置の接続に対応して、アラートを表示するためのアラート表示情報を出力する出力手段と、を備えている。【選択図】図１
2011034654.tif 000002
【特許請求の範囲】
【請求項１】
外部記憶装置と接続する接続手段と、
前記外部記憶装置を所定フォーマットで初期化し、前記外部記憶装置を登録する登録手段と、
前記外部記憶装置に対して情報を記録する記録手段と、
前記外部記憶装置の登録を解除する解除手段と、
未登録で且つ前記所定フォーマットで初期化された登録対象の外部記憶装置の接続に対応して、アラートを表示するためのアラート表示情報の出力を制御する制御手段と、
を備えた情報記録装置。
【請求項２】
前記登録手段は、自機の識別情報を保持し、登録指示に基づき、前記外部記憶装置に対して前記自機の識別情報を記録し、前記外部記憶装置を認証するための認証情報を登録し、
前記解除手段は、登録解除の指示に基づき、前記外部記憶装置の認証情報を消去し、
前記制御手段は、前記登録された認証情報に基づき前記登録対象の外部記憶装置の認証に失敗した場合に前記登録対象の外部記憶装置を未登録と判断し、前記登録対象の外部記憶装置から読み取った識別情報と前記登録手段により保持された自機の識別情報とが不一致の場合には前記登録対象の外部記憶装置が他の機器で登録された装置であることを示すアラートを表示するためのアラート表示情報を出力する、
ことを特徴とする請求項１に記載の情報記録装置。
【請求項３】
前記登録手段は、自機の識別情報を保持し、登録指示に基づき、前記外部記憶装置に対して前記自機の識別情報を記録し、前記外部記憶装置を認証するための認証情報を登録し、
前記解除手段は、登録解除の指示に基づき、前記外部記憶装置の認証情報を消去し、
前記制御手段は、前記記憶された認証情報に基づき前記登録対象の外部記憶装置の認証に失敗した場合に前記登録対象の外部記憶装置を未登録と判断し、前記登録対象の外部記憶装置から読み取った識別情報と前記登録手段により保持された自機の識別情報とが一致の場合には、前記登録対象の外部記憶装置が登録解除された装置であることを示すアラートを表示するためのアラート表示情報を出力する、
ことを特徴とする請求項１に記載の情報記録装置。
【請求項４】
前記制御手段は、前記登録対象の外部記憶装置に番組が記録されている場合に、アラートを表示するためのアラート表示情報を出力することを特徴とする請求項１に記載の情報記録装置。
【請求項５】
前記制御手段は、前記登録対象の外部記憶装置に番組が記録されている場合に、前記登録対象の外部記憶装置の登録により前記登録対象の外部記憶装置に記録されている番組が消去されることを示すアラートを表示するためのアラート表示情報を出力することを特徴とする請求項１に記載の情報記録装置。
【請求項６】
前記制御手段は、前記登録対象の外部記憶装置にコピーフリーの番組が記録されている場合に、アラートを表示するためのアラート表示情報を出力することを特徴とする請求項１に記載の情報記録装置。
【請求項７】
前記制御手段は、前記登録対象の外部記憶装置にコピーフリーの番組が記録されている場合に、前記登録対象の外部記憶装置の登録のために、前記登録対象の外部記憶装置に記録されている前記コピーフリーの番組を移動又は削除する必要があることを示すアラートを表示するためのアラート表示情報を出力することを特徴とする請求項１に記載の情報記録装置。
【請求項８】
前記登録手段は、前記アラート表示情報出力後の登録指示に基づき、前記登録対象の外部記憶装置を初期化し、前記登録対象の外部記憶装置を登録することを特徴とする請求項１乃至７に記載の情報記録装置。
【請求項９】
外部記憶装置と接続し、前記外部記憶装置を所定フォーマットで初期化し、前記外部記憶装置を登録し、前記外部記憶装置に対して情報を記録し、前記外部記憶装置の登録を解除することが可能な情報記録装置に適用可能な情報出力方法であって、
未登録で且つ前記所定フォーマットで初期化された登録対象の外部記憶装置の接続に対応して、アラートを表示するためのアラート表示情報を出力する情報出力方法。
【発明の詳細な説明】
【技術分野】
【０００１】
本発明は、ＨＤＤなどの外部記憶装置に対して情報を記録する情報記録装置に関する。また、本発明は、このような情報記録装置に適用可能な情報出力方法に関する。
【背景技術】
【０００２】
近年、デジタルテレビ放送を記録したり再生したりすることが可能な記録再生装置が普及している。この記録再生装置は、ハードディスクドライブ（Hard Disk Drive，以下ＨＤＤとする）及びＤＶＤ（Digital Versatile Disk）を使ってデジタルテレビ放送を記録する。ハードディスク及び光ディスクなどの情報記憶媒体の記憶容量は、年々増大している。このために、これらの情報記憶媒体を利用した記録再生装置、及びこれらの情報記憶媒体を利用した記録機能付きテレビジョン受信機は、多数の番組を記録することができる。
【０００３】
それでも、情報記憶媒体の記憶容量は有限であるため、番組の記録とともに記憶容量不足が生じることがある。そこで、外部記憶装置の増設が可能な記録機能付きテレビジョン受信機が提案されている（特許文献１参照）。また、この記録機能付きテレビジョン受信機は、装置と一体の第１の録画機器を備え、増設される第２の録画機器の接続状態、電源状態、及び機能をチェックし、例えば第１の録画機器と第２の録画機器との機能が不一致の場合に警告を行う。これにより、第１の録画機器と第２の録画機器の違いをユーザに通知することができる。
【先行技術文献】
【特許文献】
【０００４】
【特許文献１】特開２００６−３０２４５１
【発明の概要】
【発明が解決しようとする課題】
【０００５】
２００９年７月時点では、記録再生装置のＨＤＤの容量は、例えば数百ＧＢ〜１ＴＢである。これに対して、記録するために１時間当たり１０ＧＢ程度の記憶容量を必要とする衛星放送があり、番組の記録とともにＨＤＤの容量が不足することがある。
【０００６】
ＤＶＤのようなリムーバブルディスクに番組を記録すれば、リムーバブルディスクの追加により、記録できる番組数を増やすことはできる。但し、リムーバブルディスクは、ディスクの装填作業又はディスクの交換作業が必要となり、これら作業はユーザにとって負担となる。さらに、記録再生装置は、装填されたディスク又は交換されたディスクを認識するための認識処理を実行する。このため、リムーバブルディスクは素早い再生に不向きである。このような事情からＨＤＤを積極的に利用したい。
【０００７】
また、記録再生装置は、昨年開始されたダビング１０の放送で提供される番組を内蔵ＨＤＤに録画することができ、さらに最大１０個までこの番組をダビングすることができる。ところが、記録再生装置が、この番組をＤＶＤに録画した場合、ＤＶＤに録画した番組はダビングすることができない。このため、ダビング１０の放送で提供された番組を編集することなどを考えると、番組を内蔵ＨＤＤへ録画した方が都合がよい。
【０００８】
このように、ＨＤＤが積極的に利用されることが予測され、内蔵ＨＤＤの大容量化が求められる。記録再生装置が、複数のＨＤＤを搭載すれば、容量の面では優れるが、記録再生装置のコストが増加してしまう。
【０００９】
そこで、外部記憶装置を利用することが考えられる。ダビング１０などのコピー管理が必要な放送は、ＣＰＲＭのような暗号化に対応したＤＶＤなどへ記録することができ、また、記録再生装置に結び付けられた記憶装置（セットバインドされた記憶装置）にのみ記録することができる。所定の記録再生装置が、所定の記憶装置を所定のフォーマットで初期化し、この所定の記憶装置を登録することにより、この所定の記憶装置はセットバインドされた記憶装置となる。所定の記録再生装置は、所定の記憶装置の識別情報（ＩＤ）を記憶し、さらに、所定の記録再生装置は、所定の記憶装置に記憶された番組に関する情報も記録する。さらに詳しく説明すると、所定の記録再生装置は、所定の記憶装置に記憶された情報に異常がないかを認証する認証処理、及び所定の記憶装置に番組を暗号化して記録する暗号化処理を実行することができ、暗号化情報を解読するための鍵を記憶する。このようにして、所定の記録再生装置のみが、所定の記憶装置に記憶された番組を再生することができ、他の機器は、この所定の記憶装置に記憶された番組を再生することはできない。
【００１０】
これにより、録画番組の増加に対応して記憶装置の増加で対応することができ、記録再生装置の初期製造コストが抑えられる。また、１つの記録再生装置で多数の記憶装置を管理することができ、利便性も良い。
【００１１】
上記したように、記録再生装置は、一台の記憶装置を登録するためには、登録に必要な情報を記憶しなければならず、そのため、記録再生装置は、無制限に記憶装置を登録することはできない。登録台数に上限が有る以上、記録装置の登録解除及び追加登録ができるほうが利便性がよい。
【００１２】
例えば、ＨＤＤ又は各種メモリーの容量は年々増加するので、より多くの番組を記録するためには、容量の小さい記憶装置の登録を解除し、替わりに、容量の大きい記憶装置を追加登録することが考えられる。つまり、記録再生装置は、登録を解除した記憶装置を認証するための認証情報を破棄できるのが望ましい。
【００１３】
記録再生装置は、登録が解除された記憶装置を認証することはできないため、登録が解除された記憶装置をセットバインドした記憶装置とは認めない。このため、登録が解除された記憶装置に記憶された暗号化コンテンツの解読に必要な鍵を取得できず、この暗号化コンテンツは再生できなくなる。但し、登録が解除された記憶装置に記憶された非暗号化コンテンツは再生することができる。非暗号化コンテンツとしては、例えばムービーなどの撮影コンテンツがある。
【００１４】
また、ある記録再生装置で登録された記憶装置の暗号化コンテンツを、別の記録再生装置で再生しようとした場合にも、別の記録再生装置は、暗号化コンテンツの解読に必要な鍵を取得できず、この暗号化コンテンツは再生できない。しかしながら、別の記録再生装置は、この記憶装置に記憶された非暗号化コンテンツを再生することはできる。
【００１５】
記録再生装置は、未登録の記憶装置を登録するためには、記憶装置を初期化する。従って、記憶装置に記憶されていた暗号化コンテンツ及び非暗号化コンテンツは消去されてしまう。
【００１６】
上記したように、情報再生装置が、記憶装置の登録を解除したり、記憶装置を登録したりすると、暗号化コンテンツが再生できなくなったり、暗号化コンテンツ及び非暗号化コンテンツが消去されてしまったりする。よって、ユーザに対してこのような危険性を知らせる必要がある。
【００１７】
本発明の目的は、未登録の外部記憶装置の接続に対応して、ユーザに対して各種危険性を通知することが可能な情報記録装置及び情報出力方法を提供することにある。
【課題を解決するための手段】
【００１８】
本発明の一実施形態に係る情報記録装置は、外部記憶装置と接続する接続手段と、前記外部記憶装置を所定フォーマットで初期化する初期化手段と、前記外部記憶装置を登録する登録手段と、前記外部記憶装置に対して情報を記録する記録手段と、前記外部記憶装置の登録を解除する解除手段と、未登録で且つ前記所定フォーマットで初期化された登録対象の外部記憶装置の接続に対応して、アラートを表示するためのアラート表示情報を出力する出力手段と、を備えている。
【００１９】
本発明の一実施形態に係る情報出力方法は、外部記憶装置と接続し、前記外部記憶装置を所定フォーマットで初期化し、前記外部記憶装置を登録し、前記外部記憶装置に対して情報を記録し、前記外部記憶装置の登録を解除することが可能な情報記録装置に適用可能な情報出力方法であって、未登録で且つ前記所定フォーマットで初期化された登録対象の外部記憶装置の接続に対応して、アラートを表示するためのアラート表示情報を出力する。
【発明の効果】
【００２０】
本発明によれば、未登録の外部記憶装置の接続に対応して、ユーザに対して各種危険性を通知することが可能な情報記録装置及び情報出力方法を提供できる。
【図面の簡単な説明】
【００２１】
【図１】本発明の一実施形態に係る録画再生装置（情報記録装置）の概略構成を示す図である。
【図２】外部記憶装置の登録及び登録解除のためのＧＵＩの画面の一例を示す図である。
【図３】登録処理の第１例を示すフローチャートである。
【図４】登録処理の第２例を示すフローチャートである。
【図５】登録処理の第３例を示すフローチャートである。
【図６】登録処理の第４例を示すフローチャートである。
【図７】登録処理の第５例（第１例から第４例までの組み合わせの例）を示すフローチャートである。
【発明を実施するための形態】
【００２２】
以下、図面を参照し、本発明の実施形態について説明する。
【００２３】
図１は、本発明の一実施形態に係る録画再生装置（情報記録装置）の概略構成を示す図である。図１に示すように、録画再生装置１は、チューナ２、入力回路３、シグナルプロセッサー４、ディスクドライブ５、出力回路６、信号受光回路７、アンテナ端子２１、ビデオ入力端子３１、オーディオ入力端子３２、ＬＡＮ端子４１１、ＵＳＢ端子４１２、ビデオ出力端子６１、オーディオ出力端子６２、信号受光部７１を備えている。
【００２４】
また、シグナルプロセッサー４は、ＣＰＵ４１、ＡＤＣ（アナログ／デジタルコンバーター）４２、エンコーダ４３、インターフェース４４、デコーダ４５、グラフィック処理部４６、ビデオエンコーダ４７、ＤＡＣ（デジタル／アナログコンバーター）４８、ＥＰＧ処理部４９を備えている。
【００２５】
ＣＰＵ４１は、制御手段として機能する。例えば、ＣＰＵ４１は、信号受光回路７を介して、信号受光部７１により受光されたリモートコントローラからの信号を受信し、受信した信号に基づき各部を制御する。
【００２６】
チューナ２は、アンテナ端子２を介して各放送局のデジタル信号を受信し、選択された放送局のデジタル信号をＡＤＣ４２へ入力する。ＡＤＣ４２は、デジタル信号をエンコーダ４３へ出力する。また、入力回路３は、ビデオ入力端子３１及びオーディオ入力端子３２を介してアナログのビデオ信号及びオーディオ信号を受信し、これらアナログのビデオ信号及びオーディオ信号をＡＤＣ４２へ入力する。ＡＤＣ４２は、アナログのビデオ信号及びオーディオ信号をデジタル信号へ変換し、エンコーダ４３へ入力する。エンコーダ４３は、入力されたデジタル信号をＭＰＥＧ２などの信号フォーマットへエンコードし、例えば、インターフェース４４を介して、ディスクドライブ５へ出力する。
【００２７】
ディスクドライブ５は、デジタル信号をＨＤＤ５１へ記録したり、或いはデジタル信号をＤＶＤ５２へ記録したりする。また、ディスクドライブ５は、ＨＤＤ５１に記録されたデジタル信号を読み出したり、或いはＤＶＤ５２に記録されたデジタル信号を読み出したりする。なお、ディスクドライブ５は、ＤＶＤの他にＣＤに対して信号を記録したり、ＣＤに記録された信号を読み出したりすることもできる。
【００２８】
読み出されたデジタル信号は、インターフェース４４を介してデコーダ４５に入力される。デコーダ４５は、ＭＰＥＧ２などのフォーマットのデジタル信号をデコードし、デコードにより得られたビデオ信号をビデオエンコーダ４７へ入力し、デコードにより得られたオーディオ信号をＤＡＣ４８へ入力する。ＤＡＣ４８は、デジタルのオーディオ信号をアナログのオーディオ信号へ変換し出力する。
【００２９】
グラフィック処理部４６は、ＧＵＩ（Graphical User Interface）のためのグラフィックを生成する。グラフィック処理部４６から出力されるグラフィック信号は、ビデオエンコーダ４７に入力される。ビデオエンコーダ４７は、デコーダ４５からのビデオ信号とグラフィック処理部４６からのグラフィック信号とを合成し出力することができる。なお、グラフィック処理部４６からのグラフィック信号が無い場合には、デコーダ４５からのビデオ信号を出力する。
【００３０】
出力回路６は、ビデオエンコーダ４７からのビデオ信号及びＤＡＣ４８からのオーディオ信号を入力し、ビデオ出力端子６１を介してビデオ信号をＴＶ８へ出力し、オーディオ出力端子６２を介してオーディオ信号をＴＶ８へ出力する。
【００３１】
ＥＰＧ処理部４９は、ＬＡＮ端子４１１を介して外部サーバから送信されるＥＰＧ（Electric Program Guide）信号、又はチューナ２を介して受信されたデジタル信号に含まれたＥＰＧ信号に基づき、ＥＰＧを生成する。ＥＰＧ処理部４９により生成されたＥＰＧは、ＨＤＤ５１に保存することもできるし、ビデオエンコーダ４７等を介してＴＶ８に出力することもできる。
【００３２】
また、シグナルプロセッサー４は、ＬＡＮ端子４１１を介して外部サーバから映像音声データを取得し、取得された映像音声データをＨＤＤ５１へ記録したり、或いは取得された映像音声データをＴＶ８へ出力したりすることができる。
【００３３】
ＵＳＢ端子４１２は、汎用のデータの入出力端子であり、外部記憶装置９と接続することができる。例えば、シグナルプロセッサー４は、ＵＳＢ端子４１２を介して、外部記憶装置９に対してデータを記録したり、外部記憶装置９に記録されたデータを読み出したりすることができる。つまり、外部記憶装置９は、録画再生装置１からのデータ（録画対象の番組データなど）をＵＳＢ ＨＤＤ９１へ記録したり、ＵＳＢ ＨＤＤ９１に記録されたデータを録画再生装置１へ出力したりすることができる。
【００３４】
図２は、外部記憶装置９（ＵＳＢ ＨＤＤ９１）の登録及び登録解除のためのＧＵＩの画面の一例を示す図である。
【００３５】
例えば、録画再生装置１は、ＵＳＢ ＨＤＤを最大８台登録することができる。つまり、ＣＰＵ４１は、ＵＳＢ ＨＤＤを最大８台管理することができる。なお、本実施形態では、ＵＳＢ ＨＤＤを最大８台管理することができるケースについて説明するが、本発明は、複数台管理できる装置に適用可能である。また、本発明は、ＵＳＢ ＨＤＤ以外の記憶メディアを管理できる装置にも適用可能である。
【００３６】
図２に示すＧＵＩの画面は登録一覧を含み、この登録一覧によりＵＳＢ ＨＤＤの登録状況が示される。例えば、リモートコントローラ等を介して、登録一覧の中から、未登録のラジオボタン（例えばＵＳＢ１）が選択されると、登録ボタンが有効になる。さらに、リモートコントローラ等を介して、有効になった登録ボタンが選択されると、ＣＰＵ４１は、接続中のＵＳＢ ＨＤＤの登録処理を実行する。例えば、ＣＰＵ４１は、接続中のＵＳＢ ＨＤＤに対して、不揮発性メモリ等に記憶されている自機のＩＤ（識別情報）を書き込むように制御し、さらに接続中のＵＳＢ ＨＤＤを認証するための認証情報を不揮発性メモリ等へ記憶する。認証情報は、例えば接続中のＵＳＢ ＨＤＤから取得される固有情報に基づき生成される。また、上記した不揮発性メモリは、ＣＰＵ４１又はシグナルプロセッサー４等により管理されるメモリである。
【００３７】
また、リモートコントローラ等を介して、登録一覧の中から、登録済みのラジオボタン（例えばＵＳＢ２又はＵＳＢ３）が選択されると、解除ボタンが有効になる。さらに、リモートコントローラ等を介して、有効になった解除ボタンが選択されると、ＣＰＵ４１は、不揮発性メモリに記憶された、登録済みのＵＳＢ ＨＤＤを認証するための認証情報を破棄する。なお、解除ボタンが選択され、登録済みのＵＳＢ ＨＤＤを認証するための認証情報が破棄されても、ＵＳＢ ＨＤＤに書き込まれた自機のＩＤは破棄されない。このＵＳＢ ＨＤＤに書き込まれた自機のＩＤから、過去に登録したＵＳＢ ＨＤＤを検出することができる。
【００３８】
図３は、登録処理の第１例を示すフローチャートである。登録処理を実行する場合、登録対象のＵＳＢ ＨＤＤを初期化したり、登録対象のＵＳＢ ＨＤＤに対して自機のＩＤを書き込んだりするために、登録対象のＵＳＢ ＨＤＤの接続が必要となる。
【００３９】
例えば、登録一覧の中から、未登録のラジオボタンが選択されると、ＣＰＵ４１は、登録対象のＵＳＢ ＨＤＤの接続を確認し（ｆ０１）、登録対象のＵＳＢ ＨＤＤの接続が確認できなければ（ｆ０１、ＮＯ）、登録対象のＵＳＢ ＨＤＤが未接続であることを示すアラートの表示を制御する。これに対応して、録画再生装置１は、登録対象のＵＳＢ ＨＤＤが未接続であることを示すアラートを表示するためのアラート表示情報をＴＶ８に出力し、ＴＶ８は、登録対象のＵＳＢ ＨＤＤが未接続であることを示すアラートを表示する（ｆ０５）。
【００４０】
ＣＰＵ４１は、登録対象のＵＳＢ ＨＤＤの接続を確認すると（ｆ０１、ＹＥＳ）、次に、登録対象のＵＳＢ ＨＤＤが登録済みか否かを確認する（ｆ０２）。例えば、ＣＰＵ４１は、不揮発性メモリに記憶されている認証情報に基づき、登録対象のＵＳＢ ＨＤＤの認証を試行する。例えば、ＣＰＵ４１は、登録対象のＵＳＢ ＨＤＤから取得される固有情報に基づき認証情報を生成し、不揮発性メモリに記憶されている認証情報と、生成した認証情報とを比較して、登録対象のＵＳＢ ＨＤＤの認証を試行する。認証に成功すれば、ＣＰＵ４１は、登録対象のＵＳＢ ＨＤＤは登録済みと判断する（ｆ０２、ＹＥＳ）。
【００４１】
この場合、ＣＰＵ４１は、登録対象のＵＳＢ ＨＤＤが登録済みであるため登録不要であることを示すアラートの表示を制御する。これに対応して、録画再生装置１は、登録対象のＵＳＢ ＨＤＤが登録済みであるため登録不要であることを示すアラートを表示するためのアラート表示情報をＴＶ８に出力し、ＴＶ８は、登録対象のＵＳＢ ＨＤＤが登録済みであるため登録不要であることを示すアラートを表示する（ｆ０６）。
【００４２】
なお、上記したように、登録対象のＵＳＢ ＨＤＤの接続が確認できない場合（ｆ０１、ＮＯ）、又は登録対象のＵＳＢ ＨＤＤが登録済みの場合は（ｆ０２、ＹＥＳ）、例えば、図２に示す画面中の登録ボタンを無効表示するようにしてもよい。無効表示とは、例えば登録ボタンをグレー色で表示する表示方法であり、無効表示された登録ボタンを選択して実行することはできない。
【００４３】
認証に成功しなければ、ＣＰＵ４１は、登録対象のＵＳＢ ＨＤＤは未登録と判断する（ｆ０２、ＮＯ）。続いて、ＣＰＵ４１は、登録対象のＵＳＢ ＨＤＤが所定のフォーマットで初期化されているか否かを確認する（ｆ０３）。ＣＰＵ４１は、登録対象のＵＳＢ ＨＤＤが所定のフォーマットで初期化されていないと判断すると（ｆ０３、ＮＯ）、登録ボタンを有効にして、有効になった登録ボタンが選択されると、登録対象のＵＳＢ ＨＤＤの登録・初期化処理を開始する（ｆ０４）。
【００４４】
また、ＣＰＵ４１は、登録対象のＵＳＢ ＨＤＤが所定のフォーマットで初期化されていると判断すると（ｆ０３、ＹＥＳ）、登録対象のＵＳＢ ＨＤＤが他の機器（録画再生装置１と同等の機能を有する他の機器）で登録済みのＵＳＢ ＨＤＤか、或いは本機器で登録を解除したＵＳＢ ＨＤＤであることを示すとともに、初期化して登録対象のＵＳＢ ＨＤＤに記憶された全てのデータを削除してもよいかを示すアラートの表示を制御する。これに対応して、録画再生装置１は、このような内容のアラートを表示するためのアラート表示情報をＴＶ８に出力し、ＴＶ８は、このような内容のアラートを表示する（ｆ０７）。
【００４５】
登録対象のＵＳＢ ＨＤＤが他の機器（録画再生装置１と同等の機能を有する他の機器）で登録済みのＵＳＢ ＨＤＤか、或いは本機器で登録を解除したＵＳＢ ＨＤＤである場合には、登録対象のＵＳＢ ＨＤＤには暗号化コンテンツが記憶されていたり、非暗号化コンテンツが記憶されている場合がある。よって、登録対象のＵＳＢ ＨＤＤを登録する前に、登録対象のＵＳＢ ＨＤＤに記憶されている可能性のある暗号化コンテンツ及び非暗号化コンテンツを消去してしまってよいかを上記したアラートでユーザに確認する。これにより、ユーザの意図しないコンテンツの消去を防止することができる。
【００４６】
例えば、上記アラートの中に、「登録実行する」のボタンと「登録実行中止する」のボタンとを表示し、「登録実行する」のボタンが選択されると（ｆ０８、ＹＥＳ）、ＣＰＵ４１は、登録ボタンを有効にして、有効になった登録ボタンが選択されると、登録対象のＵＳＢ ＨＤＤの登録・初期化処理を開始する（ｆ０４）。例えば、ＣＰＵ４１は、登録対象のＵＳＢ ＨＤＤに記憶されたデータを削除し、登録対象のＵＳＢ ＨＤＤに対して自機のＩＤを書き込み、登録対象のＵＳＢ ＨＤＤを認証するための認証情報を不揮発性メモリへ記憶する。以上により、登録対象のＵＳＢ ＨＤＤの登録が完了する。さらに、ＣＰＵ４１は、登録したＵＳＢ ＨＤＤに記憶される番組数を登録したＵＳＢ ＨＤＤへ記憶したり、また登録したＵＳＢ ＨＤＤに記憶されるコピーフリーの番組数を登録したＵＳＢ ＨＤＤへ記憶したりする。
【００４７】
図４は、登録処理の第２例を示すフローチャートである。図４に示すフローチャート中の処理工程のうち、図３に示すフローチャートの処理工程と同じ内容の処理工程には、図３に示すフローチャートの処理工程で使用した符号と同じ符号を付した。
【００４８】
ＣＰＵ４１が、登録対象のＵＳＢ ＨＤＤが所定のフォーマットで初期化されていると判断し（ｆ０３、ＹＥＳ）、不揮発性メモリに記憶されている自機のＩＤと、登録対象のＵＳＢ ＨＤＤから取得したＩＤ（以前書き込まれたＩＤ）とを比較し、不揮発性メモリに記憶されている自機のＩＤと、登録対象のＵＳＢ ＨＤＤから読み出したＩＤ（以前書き込まれたＩＤ）とが一致すれば（ｆ１１、ＹＥＳ）、登録対象のＵＳＢ ＨＤＤを過去に登録されていたものと判断する。つまり、録画再生装置１が、登録対象のＵＳＢ ＨＤＤを過去に登録しており、この登録対象のＵＳＢ ＨＤＤの登録を解除した可能性が高いことになる。
【００４９】
そこで、ＣＰＵ４１は、登録対象のＵＳＢ ＨＤＤが過去に登録されていた可能性の高いこと、及び初期化して登録対象のＵＳＢ ＨＤＤに記憶された全てのデータを削除してもよいかを示すアラートの表示を制御する。これに対応して、録画再生装置１は、このような内容のアラートを表示するためのアラート表示情報をＴＶ８に出力し、ＴＶ８は、このような内容のアラートを表示する（ｆ１２）。
【００５０】
登録対象のＵＳＢ ＨＤＤが、本機器で登録を解除したＵＳＢ ＨＤＤである場合には、登録対象のＵＳＢ ＨＤＤには暗号化コンテンツが記憶されていたり、非暗号化コンテンツが記憶されている場合がある。よって、登録対象のＵＳＢ ＨＤＤを登録する前に、登録対象のＵＳＢ ＨＤＤに記憶されている可能性のある暗号化コンテンツ及び非暗号化コンテンツを消去してしまってよいかを上記したアラートでユーザに確認する。これにより、ユーザの意図しないコンテンツの消去を防止することができる。
【００５１】
例えば、上記アラートの中に、「登録実行する」のボタンと「登録実行中止する」のボタンとを表示し、「登録実行する」のボタンが選択されると（ｆ１３、ＹＥＳ）、ＣＰＵ４１は、登録ボタンを有効にして、有効になった登録ボタンが選択されると、登録対象のＵＳＢ ＨＤＤの登録・初期化処理を開始する（ｆ０４）。例えば、ＣＰＵ４１は、登録対象のＵＳＢ ＨＤＤに記憶されたデータを削除し、登録対象のＵＳＢ ＨＤＤを認証するための認証情報を不揮発性メモリへ記憶し、登録対象のＵＳＢ ＨＤＤに対して不揮発性メモリに記憶された自機のＩＤを書き込む。以上により、登録対象のＵＳＢ ＨＤＤの登録が完了する。
【００５２】
不揮発性メモリに記憶されている自機のＩＤと、登録対象のＵＳＢ ＨＤＤから読み出したＩＤ（以前書き込まれたＩＤ）とが一致しなければ（ｆ１１、ＮＯ）、ＣＰＵ４１は、登録対象のＵＳＢ ＨＤＤを他の機器（録画再生装置１と同等の機能を有する他の機器）で登録済みのＵＳＢ ＨＤＤと判断し、登録対象のＵＳＢ ＨＤＤが他の機器（録画再生装置１と同等の機能を有する他の機器）で登録済みのＵＳＢ ＨＤＤであることを示すとともに、初期化して登録対象のＵＳＢ ＨＤＤに記憶された全てのデータを削除してもよいかを示すアラートの表示を制御する。これに対応して、録画再生装置１は、このような内容のアラートを表示するためのアラート表示情報をＴＶ８に出力し、ＴＶ８は、このような内容のアラートを表示する（ｆ１４）。
【００５３】
例えば、上記アラートの中に、「登録実行する」のボタンと「登録実行中止する」のボタンとを表示し、「登録実行する」のボタンが選択されると（ｆ１５、ＹＥＳ）、ＣＰＵ４１は、登録ボタンを有効にして、有効になった登録ボタンが選択されると、登録対象のＵＳＢ ＨＤＤの登録・初期化処理を開始する（ｆ０４）。例えば、ＣＰＵ４１は、登録対象のＵＳＢ ＨＤＤに記憶されたデータを削除し、登録対象のＵＳＢ ＨＤＤに対して自機のＩＤを書き込み、登録対象のＵＳＢ ＨＤＤを認証するための認証情報を不揮発性メモリへ記憶する。以上により、登録対象のＵＳＢ ＨＤＤの登録が完了する。
【００５４】
上記したように、録画再生装置１は、登録対象のＵＳＢ ＨＤＤを過去に登録されていたＵＳＢ ＨＤＤと判断した場合にはその旨のアラート表示を制御し、登録対象のＵＳＢ ＨＤＤを他の機器で登録されていたＵＳＢ ＨＤＤと判断した場合にはその旨のアラート表示を制御する。このように、録画再生装置１は、登録対象のＵＳＢ ＨＤＤの条件に応じて、アラート表示内容を制御（変更）する。つまり、録画再生装置１は、状況に応じた注意を喚起することができ、ユーザの適切な判断に寄与することができる。
【００５５】
図５は、登録処理の第３例を示すフローチャートである。図５に示すフローチャート中の処理工程のうち、図３に示すフローチャートの処理工程と同じ内容の処理工程には、図３に示すフローチャートの処理工程で使用した符号と同じ符号を付した。
【００５６】
ＣＰＵ４１が、登録対象のＵＳＢ ＨＤＤが所定のフォーマットで初期化されていると判断し（ｆ０３、ＹＥＳ）、登録対象のＵＳＢ ＨＤＤに番組が記録されている（記録番組数≠０）と判断すると（ｆ２１、ＮＯ）、登録対象のＵＳＢ ＨＤＤが他の機器（録画再生装置１と同等の機能を有する他の機器）で登録済みのＵＳＢ ＨＤＤか、或いは本機器で登録を解除したＵＳＢ ＨＤＤであることを示すとともに、初期化して登録対象のＵＳＢ ＨＤＤに記録された番組を削除してもよいかを示すアラートの表示を制御する。これに対応して、録画再生装置１は、このような内容のアラートを表示するためのアラート表示情報をＴＶ８に出力し、ＴＶ８は、このような内容のアラートを表示する（ｆ２２）。
【００５７】
例えば、上記アラートの中に、「登録実行する」のボタンと「登録実行中止する」のボタンとを表示し、「登録実行する」のボタンが選択されると（ｆ２３、ＹＥＳ）、ＣＰＵ４１は、登録ボタンを有効にして、有効になった登録ボタンが選択されると、登録対象のＵＳＢ ＨＤＤの登録・初期化処理を開始する（ｆ０４）。例えば、ＣＰＵ４１は、登録対象のＵＳＢ ＨＤＤに記憶された番組を削除し、登録対象のＵＳＢ ＨＤＤに対して自機のＩＤを書き込み、登録対象のＵＳＢ ＨＤＤを認証するための認証情報を不揮発性メモリへ記憶する。以上により、登録対象のＵＳＢ ＨＤＤの登録が完了する。
【００５８】
ＣＰＵ４１が、登録対象のＵＳＢ ＨＤＤに番組が記録されていない（記録番組数＝０）と判断すると（ｆ２１、ＹＥＳ）、登録対象のＵＳＢ ＨＤＤを初期化しても削除されてしまう番組はないことになる。よって、ＣＰＵ４１は、登録ボタンを有効にして、有効になった登録ボタンが選択されると、登録対象のＵＳＢ ＨＤＤの登録・初期化処理を開始する（ｆ０４）。
【００５９】
図６は、登録処理の第４例を示すフローチャートである。図６に示すフローチャート中の処理工程のうち、図３に示すフローチャートの処理工程と同じ内容の処理工程には、図３に示すフローチャートの処理工程で使用した符号と同じ符号を付した。
【００６０】
ＣＰＵ４１が、登録対象のＵＳＢ ＨＤＤが所定のフォーマットで初期化されていると判断し（ｆ０３、ＹＥＳ）、登録対象のＵＳＢ ＨＤＤにコピーフリーの番組が記録されていない（コピーフリーの記録番組数＝０）と判断すると（ｆ３１、ＹＥＳ）、登録対象のＵＳＢ ＨＤＤが他の機器（録画再生装置１と同等の機能を有する他の機器）で登録済みのＵＳＢ ＨＤＤか、或いは本機器で登録を解除したＵＳＢ ＨＤＤであることを示すとともに、初期化して登録対象のＵＳＢ ＨＤＤに記録されたデータ（例えば暗号化されたデータ）を削除してもよいかを示すアラートの表示を制御する。これに対応して、録画再生装置１は、このような内容のアラートを表示するためのアラート表示情報をＴＶ８に出力し、ＴＶ８は、このような内容のアラートを表示する（ｆ３２）。
【００６１】
例えば、上記アラートの中に、「登録実行する」のボタンと「登録実行中止する」のボタンとを表示し、「登録実行する」のボタンが選択されると（ｆ３３、ＹＥＳ）、ＣＰＵ４１は、登録ボタンを有効にして、有効になった登録ボタンが選択されると、登録対象のＵＳＢ ＨＤＤの登録・初期化処理を開始する（ｆ０４）。例えば、ＣＰＵ４１は、登録対象のＵＳＢ ＨＤＤに記憶された番組を削除し、登録対象のＵＳＢ ＨＤＤに対して自機のＩＤを書き込み、登録対象のＵＳＢ ＨＤＤを認証するための認証情報を不揮発性メモリへ記憶する。以上により、登録対象のＵＳＢ ＨＤＤの登録が完了する。
【００６２】
ＣＰＵ４１が、登録対象のＵＳＢ ＨＤＤにコピーフリーの番組が記録されている（コピーフリーの記録番組数≠０）と判断すると（ｆ３１、ＮＯ）、このタイミングでは登録対象のＵＳＢ ＨＤＤの登録を受け付けない。コピーフリーの番組（暗号化されていない番組）は、他の機器（録画再生装置１と同等の機能を有する他の機器）で再生することもできるし、ホームビデオなどの貴重映像の可能性もある。そこで、ＣＰＵ４１は、登録対象のＵＳＢ ＨＤＤを登録するためには、登録対象のＵＳＢ ＨＤＤに記録された番組（コピーフリーの番組）を移動又は削除する必要があることを示すアラートの表示を制御し、このタイミングでは登録対象のＵＳＢ ＨＤＤを登録できないようにする。これに対応して、録画再生装置１は、このような内容のアラートを表示するためのアラート表示情報をＴＶ８に出力し、ＴＶ８は、このような内容のアラートを表示する（ｆ３４）。これにより、コピーフリーの番組が誤って削除されてしまうような事態を防止することができる。
【００６３】
コピーフリーの番組が記録されたＵＳＢ ＨＤＤを登録する場合には、別工程で（事前に）、内蔵されたＨＤＤ５１へコピーフリーの番組を移動したり、コピーフリーの番組を削除したりすることになる。
【００６４】
図７は、登録処理の第５例を示すフローチャートである。図７に示すフローチャートは、図３に示すフローチャートの（Ａ）から（Ｂ）までの処理工程の変形例である。また、図７に示すフローチャートの処理工程は、図４〜図６に示すフローチャートの一部の処理工程の組合せである。
【００６５】
例えば、ＣＰＵ４１が、登録対象のＵＳＢ ＨＤＤが所定のフォーマットで初期化されていると判断し（ｆ０３、ＹＥＳ）、登録対象のＵＳＢ ＨＤＤに番組が記録されていない（記録番組数＝０）と判断すると（ｆ２１、ＹＥＳ）、登録ボタンを有効にして、有効になった登録ボタンが選択されると、登録対象のＵＳＢ ＨＤＤの登録・初期化処理を開始する（ｆ０４）。
【００６６】
また、ＣＰＵ４１が、登録対象のＵＳＢ ＨＤＤに番組が記録されている（記録番組数≠０）と判断し（ｆ２１、ＮＯ）、しかも、コピーフリーの番組が記録されている（コピーフリーの記録番組数≠０）と判断すると（ｆ３１、ＮＯ）、登録対象のＵＳＢ ＨＤＤを登録するためには、登録対象のＵＳＢ ＨＤＤに記録された番組（コピーフリーの番組）を移動又は削除する必要があることを示すアラートの表示を制御する。これに対応して、録画再生装置１は、このような内容のアラートを表示するためのアラート表示情報をＴＶ８に出力し、ＴＶ８は、このような内容のアラートを表示する（ｆ３４）。
【００６７】
また、ＣＰＵ４１が、コピーフリーの番組が記録されていない（コピーフリーの記録番組数＝０）と判断し（ｆ３１、ＮＯ）、不揮発性メモリに記憶されている自機のＩＤと、登録対象のＵＳＢ ＨＤＤから読み取ったＩＤ（以前書き込まれたＩＤ）とを比較し、一致すれば（ｆ１１、ＹＥＳ）、登録対象のＵＳＢ ＨＤＤを過去に登録されていたものと判断する。つまり、登録対象のＵＳＢ ＨＤＤは登録解除されたＵＳＢ ＨＤＤであり、そのまま登録処理を続行する。
【００６８】
不揮発性メモリに記憶されている自機のＩＤと、登録対象のＵＳＢ ＨＤＤから読み取ったＩＤ（以前書き込まれたＩＤ）とが一致しなければ（ｆ１１、ＮＯ）、ＣＰＵ４１は、登録対象のＵＳＢ ＨＤＤを他の機器（録画再生装置１と同等の機能を有する他の機器）で登録済みのＵＳＢ ＨＤＤと判断し、登録対象のＵＳＢ ＨＤＤが他の機器（録画再生装置１と同等の機能を有する他の機器）で登録済みのＵＳＢ ＨＤＤであることを示すとともに、初期化して登録対象のＵＳＢ ＨＤＤに記憶された全てのデータを削除してもよいかを示すアラートの表示を制御する。これに対応して、録画再生装置１は、このような内容のアラートを表示するためのアラート表示情報をＴＶ８に出力し、ＴＶ８は、このような内容のアラートを表示する（ｆ１４）。
【００６９】
例えば、上記アラートの中に、「登録実行する」のボタンと「登録実行中止する」のボタンとを表示し、「登録実行する」のボタンが選択されると（ｆ１５、ＹＥＳ）、ＣＰＵ４１は、登録ボタンを有効にして、有効になった登録ボタンが選択されると、登録対象のＵＳＢ ＨＤＤの登録・初期化処理を開始する（ｆ０４）。例えば、ＣＰＵ４１は、登録対象のＵＳＢ ＨＤＤに記憶されたデータを削除し、登録対象のＵＳＢ ＨＤＤへ自機のＩＤを書き込み、登録対象のＵＳＢ ＨＤＤを認証するための認証情報を不揮発性メモリへ記憶する。以上により、登録対象のＵＳＢ ＨＤＤの登録が完了する。
【００７０】
以上により、登録対象のＵＳＢ ＨＤＤにコピーフリーの番組が記録されていれば、登録対象のＵＳＢ ＨＤＤをそのまま登録させることなく、注意を喚起する。コピー管理が必要な番組が記録されていたとしても、ＩＤの一致が検出されれば、登録対象のＵＳＢ ＨＤＤの登録処理へ移行する。このケースでは、他の装置は、登録対象のＵＳＢ ＨＤＤに記録されているコピー管理が必要な番組を再生することはできない。よって、登録対象のＵＳＢ ＨＤＤの登録処理により、登録対象のＵＳＢ ＨＤＤに記録されているコピー管理が必要な番組が削除されてしまっても、番組削除による実質的な損失がないためである。ＩＤの一致が検出される場合は、登録処理へ以降する前に、アラートにより注意を喚起する。
【００７１】
なお、本実施形態では、外部記憶装置としてＵＳＢ ＨＤＤを適用したケースについて説明したが、本発明はこれに限定されるものではない。例えば、外部記憶装置としてメモリー（メモリーカード）を適用してもよいし、ＬＡＮ端子を利用してネットワークＨＤＤを適用してもよい。
【００７２】
以上の通り、録画再生装置１は、不用意に外部記憶装置に記録された番組を喪失してしまうリスクを軽減しつつ、外部記憶装置を登録することができる。
【００７３】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００７４】
１…録画再生装置、２…チューナ、３…入力回路、４…シグナルプロセッサー、４１…ＣＰＵ、４２…ＡＤＣ、４３…エンコーダ、４４…インターフェース、４５…デコーダ、４６…グラフィック処理部、４７…ビデオエンコーダ、４８…ＤＡＣ、４９…ＥＰＧ処理部、４１１…ＬＡＮ端子、４１２…ＵＳＢ端子、５…ディスクドライブ、６…出力回路、７…信号受光回路、２１…アンテナ端子、３１…ビデオ入力端子、３２…オーディオ入力端子、６１…ビデオ出力端子、６２…オーディオ出力端子、７１…信号受光部
【図１】
2011034654.tif 000003
【図２】
2011034654.tif 000004
【図３】
2011034654.tif 000005
【図４】
2011034654.tif 000006
【図５】
2011034654.tif 000007
【図６】
2011034654.tif 000008
【図７】
2011034654.tif 000009